(57)【要約】【課題】  電線を抜き取る解除操作を軽い力で実施でき、更に解除する際の操作性が良好な回路遮断器を提供する。【解決手段】  解除レバー３は、電線差込口７側の電線収容部６下方に回動支点を設けると共に、上端に遮断器ケース５上部に露出して解除操作する操作部１０を設け、略中央部に板バネ２に上方から干渉可能な解除干渉片１３を設けた。操作部１０をスライド操作して解除レバー３を電線差込口７から離れる方向へ回動させることで、解除干渉片１３が板バネ２の係止部２ａに干渉動作して板バネ２の電線への係止を解除させ、電線１８の抜き取り可能とした。【選択図】  図５
2005353381.tif 000002
【特許請求の範囲】
【請求項１】
コ字状の電線収容部を備えた端子座と、この電線収容部に配置されて遮断器ケースの電線差込口から差し込まれた電線を下方から係止する板バネと、前記板バネの係止を解除する解除レバーと、を有する速結端子を備えた回路遮断器において、
前記解除レバーは、電線差込口側の前記電線収容部下方に回動支点を有し、上端は遮断器ケース上部に露出して解除操作する操作部を成し、更に略中央部に前記板バネに上方から干渉可能な解除干渉片を有し、
前記操作部の操作により、前記解除レバーを電線差込口から離れる方向へ回動させることで、前記解除干渉片が前記板バネに干渉動作して板バネの電線への係止を解除し、電線の抜き取りが可能となることを特徴とする回路遮断器。
【請求項２】
操作部は、解除レバーの回動支点を中心とする曲率で形成された操作面を有する請求項１記載の回路遮断器。
【請求項３】
操作部に、端子座まで貫通する測定孔を設けた請求項１又は２記載の回路遮断器。
【発明の詳細な説明】
【技術分野】
【０００１】
本発明は、速結端子を備えた回路遮断器に関し、特に速決端子に差し込んだ電線の抜き取り操作を容易とした回路遮断器に関する。
【背景技術】
【０００２】
比較的電流容量の小さな回路遮断器においては、電線接続端子を電線を差し込むだけで結線される速結端子としたものが使用され始めている。このような速結端子は、一旦差し込んだ電線が容易に抜けることがないように、抜け防止機構を備えており、抜き取りが必要な場合別途設けた解除レバーを操作して抜き取る構成となっている。
このような解除レバーの構成として、図７、図８に示す構成が知られている。図７において、２１は遮断器ケース、２２は解除レバー、２３は解除レバー２２を付勢するバネ、２４は電線を係止する板バネ、２５は端子座、２６は電線を示している。解除レバー２２は、端子座２５の上方に回動支点を有し、下端に板バネ２４に干渉させて板バネ２４の係止を解除させる干渉片２２ａ、上端に操作部２２ｂを有している。そして、電線２６を抜き取る場合、解除レバー２２を矢印Ｃ１の方法へ回動操作することで板バネ２４の係止を解除させる。また、この解除レバー２２は操作部２２ｂに結線表示部２２ｃを有し、電線２６の差込により回動して結線完了を表示する項構成となっている。
また、図８において、２７は遮断器ケース、２８は解除レバーを示し、棒状の解除レバー２８を矢印Ｃ２の方向へ押下することで、板バネ２４の電線２６への係止は解除され、電線２６の抜き取りを可能としている。（例えば、特許文献１参照）。
【特許文献１】特開２００２−１０９９８４号公報
【発明の開示】
【発明が解決しようとする課題】
【０００３】
しかし、上記図７の構成は、解除レバー２２の操作方向が電線２６を引き抜く方向と同一の方向となるため、作業者の手が重なることになり作業し辛かった。また、解除レバー２２の操作部２２ｂが小さく、解除操作に比較的大きな力を必要とすることと合わせて、爪を使って操作しなければならない場合もあり、手を痛めることがあった。
また、図８の構成は、押し込み操作する単純な操作で実施できるが、解除レバー２８の押し込みに板バネ２４のバネ力を上回る力を必要とするため、やはり大きな力を必要とし、操作し辛かった。更に、この場合も爪を使って操作しなければならないこともあり、手を痛めることがあった。
そこで、本発明はこのような問題点に鑑み、電線を抜き取る解除操作を軽い力で実施でき、更に解除する際の操作性が良好な回路遮断器を提供することを目的とする。
【課題を解決するための手段】
【０００４】
上記課題を解決する為に、請求項１の発明は、コ字状の電線収容部を備えた端子座と、この電線収容部に配置されて遮断器ケースの電線差込口から差し込まれた電線を下方から係止する板バネと、前記板バネの係止を解除する解除レバーと、を有する速結端子を備えた回路遮断器において、前記解除レバーは、電線差込口側の前記電線収容部下方に回動支点を有し、上端は遮断器ケース上部に露出して解除操作する操作部を成し、更に略中央部に前記板バネに上方から干渉可能な解除干渉片を有し、前記操作部の操作により、前記解除レバーを電線差込口から離れる方向へ回動させることで、前記解除干渉片が前記板バネに干渉動作して板バネの電線への係止を解除し、電線の抜き取りが可能となることを特徴とする。
この構成により、電線を抜き取る際の係止解除操作は、解除レバー上端に設けた操作部を操作して解除レバーを回動させることになるが、板バネの係止を解除する解除干渉片は解除レバーの回動支点と操作部の間に配置されているので、テコの原理により軽い力で係止解除操作できる。また、操作部の操作方向と電線抜き取り方向が逆向きとなるので、作業動作が合理的となり作業し易い。
【０００５】
請求項２の発明は、請求項１に記載の発明において、操作部は、解除レバーの回動支点を中心とする曲率で形成された操作面を有することを特徴とする。
この構成により、操作面を操作して係止解除操作するので、突起部を操作する場合のように爪を引っかけて作業するような無理な操作を必要としない。
【０００６】
請求項３の発明は、請求項１又は２に記載の発明において、操作部に、端子座まで貫通する測定孔を設けたことを特徴とする。
この構成により、測定孔を利用してプローブや電極を容易に端子座に接続でき、絶縁測定や通電確認等を簡易に実施できる。
【発明の効果】
【０００７】
本発明によれば、電線を抜き取る際の係止解除操作は、操作部を操作して解除レバーを回動して実施されるが、この解除操作は、解除干渉片が解除レバーの回動支点と操作部の間に配置されているので、テコの原理により軽い力で実施できる。
また、操作部の操作方向と電線抜き取り方向が逆向きとなるので、抜き取り動作が合理的であり作業し易いし、操作部の操作方向は回路遮断器の電線挿入口に対向する電源側端子方向であるため、回路遮断器の装着を安定させる方向となり、銅バー等との接続が不安定になることがない。
【発明を実施するための最良の形態】
【０００８】
以下、本発明を具体化した実施の形態を、図面に基づいて詳細に説明する。図１〜図３は本発明に係る回路遮断器の一例を示す説明図で、速結端子部の構成を示している。図１は遮断器ケースに速結端子を組み付けた状態の説明図、図２は速結端子の分解図、図３は図２の解除レバーを反転した斜視図を示している。図において、１は速結端子１１の端子座、２は電線を係止する板バネ、３は電線の係止を解除する解除レバー、４は解除レバー３を一定方向へ付勢する阻止バネ、５は遮断器ケースである。
【０００９】
端子座１は、鋼板を折り曲げて形成され、略コ字状に形成した電線収容部６を有し、遮断器ケース５に形成された電線差込口７の内部にこの電線収容部６が配置されて、端子座１は組み付けられる。また、板バネ２は、電線に係止する係止部２ａと電線を端子座１に圧接する押圧部２ｂとを有し、係止部２ａを電線差込口７側に配置して電線収容部６に組み込まれる。尚、８は銅バーが挿入される電源側端子口である。
【００１０】
解除レバー３は、下部に回動支点となる回動軸部９を有し、上部に操作部１０が形成されている。図１に示すように、回動軸部９は電線差込口７側の電線収容部６下方に配置され、操作部１０は遮断器ケース５の上面に露出するよう配置されている。この操作部１０は、回動軸部９を中心とする一定の曲率で形成された操作面１０ａを有し、遮断器ケース５上面を摺動するよう配置され、ほぼ中央には測定孔としての孔１６が穿設されている。尚、この孔１６は、端子座１を透視できるよう端子座１まで貫通して形成されている。
そして、図３に示すように、略中央部の板バネ２の後方となる部位に、差し込まれた電線に下方から当接する干渉部１２が設けられ、略中央部の電線差込口７側には板バネ２の係止部２ａを上方から押圧して板バネ２の係止を解除操作するための解除干渉片１３が設けられている。
【００１１】
こうして構成された速結端子１１の各部材は、図１に示すように配置されて遮断器ケース５に組み付けられ、板バネ２は電線収容部６内に解除レバー３に塞がれるように収容される。また、阻止バネ４は、解除レバー３と遮断器ケース５の間に、解除レバー３を常時電線差込口７側に付勢するよう組み付けられる。
尚、遮断器ケース５内には、当然、過電流検出機構、遮断機構部等が組み込まれるが、それらの構成は省略してある。また、遮断器ケース５は、３分割形成された遮断器ケースの１つを示すもので、これを左ケースとすると、略対称に形成された右ケース及び中央に挟まれる中央部材の３部材から遮断器ケース全体は形成されている。更に、速結端子１１は隣接して一対設けられ、図６の回路遮断器外観図に示すように２本の電線を結線可能となっている。
【００１２】
このように形成された速結端子１１の動作を図４、図５を基に説明する。図４は電線１８を差し込んで結線した状態、図５は電線１８の抜き取り操作をして解除レバー３を回動操作した状態を示している。
まず、電線１８を差し込む前は図１に示す状態にあり、電線差込口７から差し込まれた電線１８は、端子座１の電線収容部６の上面と板バネ２の間に挿入される。そして、更に差し込むことで、電線１８の先端は電線収容部６の奥端となる遮断器ケース５の突起部５ａに当接する。この突起部５ａに当接することで差込は終了となり、図４に示す状態となる。このとき、板バネ２の押圧部２ｂが電線１８を端子座１に押圧すると共に、係止部２ａが電線１８の戻り動作（抜け作用）を阻止し、電線１８は確実に速結端子１１に結線される。また、干渉部１２が差し込まれた電線１８に干渉することで、解除レバー３は僅かに回動し、操作部１０が移動する。この回動作用から電線１８が結線されたことを知ることができる。
【００１３】
一方、差し込んだ電線を抜き取る解除操作は次のように成される。この操作は、操作部１０の操作面１０ａを指の腹等で押して、図５に示す矢印Ａ１方向、即ち電線差込方向と同一方向へスライド操作することで成され、この操作で解除レバー３は回動軸部９を中心に回動し、解除干渉片１３が板バネ２の係止部２ａを押し下げる。その結果、係止部２ａの電線係止作用が解除され、この時電線１８を引っ張れば容易に抜き取りできる。
そして、この時に作用させる作業者の力は、阻止バネ４の弾性力と板バネ２の係止部２ａの弾性力との合成力より大きな力が必要となるが、阻止バネ４の弾性力は比較的小さいし、解除干渉片１３は回動軸部９と操作部１０の間に配置されているため、テコの原理により操作部１０での係止部２ａを曲げる力は僅かな力で済む。その結果、全体としてもスライド操作に必要な力は弱い力で済み、操作部１０は比較的小さな力で操作できる。
図６は、この操作状態の回路遮断器の外観図を示し、矢印Ａ２は操作部１０の操作方向、矢印Ｂは電線１８の抜き取り操作方向を示している。
【００１４】
このように、電線を抜き取るための係止解除操作は、解除レバー上端に設けた操作部をスライド操作して解除レバーを回動させることになるが、テコの原理により軽い力で実施できる。また、操作部の操作方向は、回路遮断器の電源側端子口方向であるため、回路遮断器の装着を安定させる方向となり、銅バー等との接続が不安定になることがない。
更に、操作部の操作方向と電線抜き取り方向が逆向きとなるので、作業動作が合理的となり作業し易い。具体的には、操作部１０を操作する際、遮断器ケース５端部（電源端子口側端部）に人差し指を掛けて、親指で操作部１０をスライド操作する簡易な操作で、解除操作できる。そして、この操作をしながら、電線１８を引っ張れば抜き取りでき、解除操作と抜き取り操作が同一方向の操作ではないため、作業者に対して一定方向の力を求めることがないし、機器に大きな応力が加わる事も無く抜き取りできる。
また、操作部は緩やかな曲面で形成された操作面を有し、比較的小さな力でこの操作面を操作して係止解除操作するので、突起部を操作する場合のように爪を引っかけて作業するような無理な操作となることが無く、爪を痛めたりすることがない。
更に、操作部に設けた孔を利用してプローブや電極を容易に端子座に接続でき、絶縁測定や通電確認等を簡易に実施できる。
【００１５】
尚、上記実施形態では、解除干渉片１３を回動軸部９と操作部１０の中間部位としているが、解除干渉片１３は回動軸部９に近いほど操作部１０を操作する力は僅かな力で済むため、更に解除干渉片１３を回動軸部９に近づけても良い。
【図面の簡単な説明】
【００１６】
【図１】本発明に係る回路遮断器の実施形態の一例を示す説明図である。
【図２】図１の回路遮断器の速結端子部の分解斜視図である。
【図３】解除レバーを示し、（ａ）は反転した斜視図、（ｂ）は端子座を組み付けた状態の斜視図である。
【図４】電線の差し込んで結線した状態の説明図である。
【図５】電線を抜き取り操作する状態の説明図である。
【図６】電線を抜き取り操作する状態の回路遮断器外観図である。
【図７】従来の回路遮断器の一例を示す要部断面説明図である。
【図８】従来の回路遮断器の他の例を示す要部断面説明図である。
【符号の説明】
【００１７】
１・・端子座、２・・板バネ、２ａ・・係止部、２ｂ・・押圧部、３・・解除レバー、４・・阻止バネ、５・・遮断器ケース、６・・電線収容部、７・・電線差込口、９・・回動軸部、１０・・操作部、１０ａ・・操作面、１１・・速結端子、１３・・解除干渉片、１６・・孔。
【図１】
2005353381.tif 000003
【図２】
2005353381.tif 000004
【図３】
2005353381.tif 000005
【図４】
2005353381.tif 000006
【図５】
2005353381.tif 000007
【図６】
2005353381.tif 000008
【図７】
2005353381.tif 000009
【図８】
2005353381.tif 000010